(57)【要約】【課題】  インクミストがキャリッジから拡散しないようにする。【解決手段】  キャリッジの走査方向の前後に、記録ヘッドとほぼ同じ紙間となる規制板を設ける。  その規制板のサイズは、キャリッジの走査方向には、キャリッジの加速距離及び減速距離以上の大きさであり、用紙送り方向には、記録ヘッドの長さ以上とする。【選択図】  図１
2007130926.tif 000002
【特許請求の範囲】
【請求項１】
インクを吐出して記録を行う記録ヘッドを保持するキャリッジの走査方向の前後の位置であって、記録が行われる用紙までの間隔が記録ヘッドとほぼ同じになる位置に、キャリッジの走査方向の長さがキャリッジの加速距離または減速距離以上であり、用紙送り方向の長さが記録ヘッドの長さ以上でインクミストの拡散を規制する規制版板を設けたことを特徴とするインクジェット記録装置。
【発明の詳細な説明】
【技術分野】
【０００１】
本発明は、プリンター、複写機、ファクシミリ等の出力機器に搭載されるインクジェット記録装置に関する。
【背景技術】
【０００２】
インクジェット記録装置では、インクを吐出して画像を記録（印字という）する際に、印字に拘わる主滴に伴い、細かい霧状の液滴(インクミスト)を発生することがある。インクミストは、主滴に比べ微小な液滴であって移動速度が著しく遅く、その大部分は記録媒体に着弾しない。そのため、キャリッジの往復移動による気流によって記録装置内部の空気に拡散する。そのインクミストの一部は、記録装置が外気と通じている部位、例えばカバーの隙間や排紙口、においては空気と共に出入りがあるものの、大部分は記録装置内部に停留して、空気中を浮遊している。
【０００３】
図６には、従来のインクジェット記録装置の主要部斜視図を示す。図７は、従来のキャリッジの加減速を含む速度線図と位置関係を表す正面図である。図６及び図７を参照して、インクミストの拡散を説明する。
【０００４】
１０１は、記録ヘッド１１１、１１２、１１３、１１４、１１５、１１６を搭載したキャリッジであり、ガイドレール１０２を摺動して、矢印Ａ、Ｂ方向に往復移動（走査とも言う）する。図中最左の記録ヘッド１１１と最右の記録ヘッド１１６との間隔は、ピッチＰである。また、キャリッジ１０１は、インクジェット記録装置がスタンバイ状態や休止中の非印字動作の際に位置するホームポジションも表す。
【０００５】
１０１ａは、キャリッジが印字する際のスタートポジションであり、キャリッジは停止しており（速度は零）、矢印Ａ方向に移動する際の加速開始位置であり、矢印Ｂ方向に移動する際の減速終了位置である。キャリッジの加速区間は、スタートポジション１０１ａにおける記録ヘッド１１１から用紙１２０の右端部までの距離Ｌ１で、加速後は、一定速度Ｖｃで印字を行う。
【０００６】
１０１ｂは、キャリッジが一回の走査を終了した際の反転ポジションであり、キャリッジは停止し（速度は零）、次の走査をする際のスタートのポジションでもある。つまり、矢印Ａ方向に移動する際の減速終了位置であり、矢印Ｂ方向に移動する際の加速開始位置である。キャリッジは、一定速度Ｖｃで印字を行った後に減速する。減速区間は、反転ポジション１０１ｂにおける記録ヘッド１１６から用紙１２０の左端部までの距離Ｌ２である。
【０００７】
用紙１２０のキャリッジ走査方向のサイズを幅Ｍとすると、キャリッジの走査ストロークＳは、
Ｓ＝Ｌ１＋（Ｍ＋Ｐ）＋Ｌ２
となっている。上式中の（Ｍ＋Ｐ）の区間で一定速度Ｖｃである。
【０００８】
１０３ａ、１０３ｂは、用紙１２０を矢印Ｃ方向に間欠送りする搬送ローラ対である。
【０００９】
１０４は、記録ヘッド１１１〜１１６をクリーニングする回復装置である。
【００１０】
１０５は、記録ヘッド１１１〜１１６と用紙１２０とのギャップを保証するプラテンである。
【００１１】
キャリッジの１回の走査で印字すると、被記録部１２０ａが形成され、キャリッジが減速し停止している間に矢印Ｃの方向に搬送ローラ対１０３ａ、１０３ｂが用紙１２０を所定のピッチで用紙送りを行い、その後にまたキャリッジを走査して印字する。
【００１２】
又、別の従来例としては、特許文献１をあげることが出来る。
【特許文献１】特開２００１-１３８５４８号公報
【発明の開示】
【発明が解決しようとする課題】
【００１３】
このようにして画像を記録する際に、図６に示すインクミスト２０１がキャリッジの後方に発生する。図６中、インクミスト２０１は、キャリッジが矢印Ａ方向に移動した場合の反転ポジション１０１ｂの近傍部のみを描いているが、印字中も絶えずキャリッジの後流に発生する。 一度発生したインクミストは装置内部に拡散し、浮遊している。
【００１４】
これらのインクミストが装置内部に浮遊し続けると、以下のような不具合を生じることがある。
（１）キャリッジユニット動作等の精度を高めるために設けられたエンコーダにインクミストが付着し、エンコーダの読み取り精度が著しく低下する。
（２）キャリッジユニットが走査摺動する部分、例えば、ガイドレールにインクミストが付着した場合、インクミストの増粘や固化によってキャリッジユニットの摺動抵抗が増大し、キャリッジユニットが動作不良を起こす。
（３）電気部品の接点部にインクミストが付着して、電気部品が動作不良を引き起こす。
【００１５】
本発明は、インクを吐出する際に発生するインクミストを記録装置内部に拡散させず、インクミストによる上記課題を解消できるインクジェット記録装置を提供することを目的とする。
【課題を解決するための手段】
【００１６】
上記目的を達成するための本発明の構成は、インクを吐出して記録を行う記録ヘッドを保持するキャリッジの走査方向の前後に、記録が行われる用紙までの間隔が記録ヘッドとほぼ同じになる位置に、キャリッジの走査方向の長さがキャリッジの加速距離または減速距離以上であり、用紙送り方向の長さが記録ヘッドの長さ以上でインクミストの拡散を規制する規制版板を設けたことを特徴とするインクジェット記録装置である。
【発明の効果】
【００１７】
本発明は、インクを吐出する際に発生するインクミストを記録装置内部に拡散させず、排出することができる。
【発明を実施するための最良の形態】
【００１８】
次に、本発明の詳細を実施例の記述に従って説明する。
【実施例１】
【００１９】
図１は、インクジェット記録装置の正面図である。
【００２０】
図２は、インクジェット記録装置の平面図（図１を上から見た図）である。
【００２１】
図１〜図２の説明において、図６及び図７と同じ符号についての説明は割愛する。
【００２２】
１ａは、キャリッジの左側に設けた規制板である。２ａは、キャリッジの右側に設けた規制板である。１ｂは、キャリッジが反転ポジション１０１ｂにあるときの規制板１ａに対応する規制板である。２ｂは、キャリッジが反転ポジション１０１ｂにあるときの規制板２ａに対応する規制板である。記録ヘッド１１１〜１１６のサイズは、長さＹであり、一走査で印字する最大長さである。
【００２３】
次に規制板の大きさについて説明する。キャリッジの走査方向については、記録ヘッド１１１から左側に長さＲまでと、記録ヘッド１１６から右側に長さＲまで延びている。そして、加減速の距離Ｌ１、距離Ｌ２よりも大きい。
【００２４】
規制板の用紙の送り方向の大きさについては、幅Ｔであり、記録ヘッドの長さＹを包含する長さである。
【００２５】
規制板と用紙の隙間は、記録ヘッドと用紙のギャップＧと同じか、僅かに大きい程度（設計公差の範囲）に設けられている。これは、規制板が記録ヘッドよりも用紙側に近づいて、印字中に発生する用紙擦れを防止するためである。
【００２６】
従って、キャリッジが、スタートポジション１０１ａにあるときは、規制板１ａは、用紙１２０の端部であって、記録ヘッドの長さ分の端１２０ｂをギャップＧで覆っている。反転ポジション１０１ｂにあるときは、規制板２ｂは、用紙１２０の端部であって、記録ヘッドの長さ分の端１２０ｃをギャップＧで覆っている。
【００２７】
印字により発生したインクミストは、空間（Ｒ×Ｔ×Ｇ）内に一定時間拘束され、つまり規制板と用紙の間に挟まれて、巻上げを規制されるため、用紙側に付着する。したがってインクミストの拡散を防止できる。なお、規制板は、できるだけ用紙に近づけるのがよい。
【００２８】
プラテン１０５と、規制板を同材質にしても、上記効果は得られるが、プラテン１０５の材料を樹脂で構成し、規制板をプラテンよりも導電性のある樹脂で構成しても、インクミストはより効果的に用紙側に付着する。
【００２９】
更に、プラテン１０５の材料を樹脂で構成し、規制板の用紙に対向する側の面を金属で構成すると、インクミストは更により効果的に用紙側に付着させることができる。この場合、規制板全体を金属体で構成しても同様に効果的に用紙側に付着させることができる。
【実施例２】
【００３０】
図３は、インクジェット記録装置の正面図であり、図１の構成に対し、解除部材３、４を設け、且つ、規制板が、キャリッジ上の支点５、６により軸支され、回動可能な構成である。図４は、ホームポジション付近を示す図である。
【００３１】
解除部材３は、キャリッジのスタートポジション１０１ａよりも右側に設けられ、解除部材４は、キャリッジの反転ポジション１０１ｂよりも左側に設けられている。
【００３２】
スタートポジション１０１ａにおいて、規制板２ａは、解除部材３の傾斜部３ａによりの跳ね上げられて位置２ｃまで回動し、退避する。反転ポジション１０１ｂにおいて、規制板１ｂは、解除部材４の傾斜部４ａに跳ね上げられて位置１ｃまで回動し、退避する。跳ね上げられた規制板は、印字中は、用紙１２０とギャップＧを保つように、不図示の爪部材で元の位置に回動される。
【００３３】
なお、解除部材３は、キャリッジがホームポジション１０１にあっても、記録ヘッドと干渉することなく、規制板を位置２まで回動できる位置に設けている。
【００３４】
第一の実施形態であると、キャリッジはストロークＳで走査するため、ホームポジションより右側のスペースと、反転ポジションより左側のスペースにおいては、規制板のサイズ分記録装置が大きくなる。
【００３５】
これに対し、第二の実施形態では、図３中の距離Ｘ２、図４中の距離Ｘ３で示される分だけ、装置サイズを小さくできる。インクミストを拘束する空間については、第一の実施形態と全く同じであり、インクミストの拡散を防止できる。なお、距離Ｘ１は、距離Ｘ３より小さい。
【実施例３】
【００３６】
図５は、インクジェット記録装置の正面図であり、図１の構成に対し、プラテン１０５の両側にファン１１、１３を設けた構成である。
【００３７】
ファン１１、１３は、プラテン１０５と同じ面の高さに吸気部１２、１４を設け、排気ダクト１５で連結し、空気と共にインクミストを記録装置外へ排気する。排気ダクト１５にはフィルター（不図示）を設けて、ミストを濾しとってもよい。
【００３８】
本構成は、第一の実機形態に対し、規制板で拘束されたインクミストをファン１１、１３を用いて吸気するため、拡散を防止しながら、より積極的に排除することができる。
【図面の簡単な説明】
【００３９】
【図１】インクジェット記録装置の正面図である。
【図２】インクジェット記録装置の平面図である。
【図３】インクジェット記録装置の正面図である。
【図４】ホームポジション付近を示す図である。
【図５】インクジェット記録装置の正面図である。
【図６】従来のインクジェット記録装置の主要部斜視図である。
【図７】従来のキャリッジの加減速を含む速度線図と位置関係を表す正面図である。
【符号の説明】
【００４０】
１ａ  規制板
２ａ  規制板
１１１  記録ヘッド
１１２  記録ヘッド
１１３  記録ヘッド
１１４  記録ヘッド
１１５  記録ヘッド
１１６  記録ヘッド
【図１】
2007130926.tif 000003
【図２】
2007130926.tif 000004
【図３】
2007130926.tif 000005
【図４】
2007130926.tif 000006
【図５】
2007130926.tif 000007
【図６】
2007130926.tif 000008
【図７】
2007130926.tif 000009